(57)【要約】【課題】車体とスライドドアとの間に架け渡されるハーネスをスライドドアの動きにスムーズに追従させると共にハーネスの屈曲角度を制御して周辺部材との干渉を防止する。【解決手段】車体とスライドドアとの間に渡り配索されるハーネスに外装材を取り付けており、外装材は、渡り配索の領域のハーネス全長に取り付けているコルゲートチューブと、コルゲートチューブに部分的に外装している屈曲規制用のガイドプロテクタとからなり、ガイドプロテクタは、複数の剛性材からなる矩形筒状のリンクを備え、各リンクの内面にコルゲートチューブの凹凸と嵌合する凹凸係止部を設け、かつ、対向する一対の辺の長さ方向の一端に突起を設けると共に他端にＶ形状に開く溝を設け、隣接するリンク間で溝に突起を所定角度屈曲可能に嵌合して連繋している。【選択図】図１
2008284968.tif 000002
【特許請求の範囲】
【請求項１】
車体とスライドドアとの間に渡り配索されるハーネスをガイドおよび保護する外装材を取り付けており、
前記外装材は、前記渡り配索の領域のハーネス全長に取り付けているコルゲートチューブと、前記コルゲートチューブに部分的に外装している屈曲規制用のガイドプロテクタとからなり、
前記ガイドプロテクタは、複数の剛性材からなる矩形筒状のリンクを備え、各リンクの内面に前記コルゲートチューブの凹凸と嵌合する凹凸係止部を設け、かつ、対向する一対の辺の長さ方向の一端に突起を設けると共に他端にＶ形状に開く溝を設け、隣接するリンク間で前記溝に前記突起を所定角度屈曲可能に嵌合して連繋していることを特徴とするスライドドア用ハーネスの配索構造。
【請求項２】
前記一対の辺と直交方向の一対の辺は、リンクの長さ方向の一端側に切欠を設けると共に他端側に突出部を設け、隣接するリンク間で前記切欠に突出部を突出させてリンクの長さ方向の端部で重ね、前記屈曲方向と直交方向には屈曲不可としている請求項１に記載のスライドドア用ハーネス配索構造。
【請求項３】
前記車体とスライドドアの間で前記ハーネスは水平方向に配索され、前記ガイドプロテクタの各リンクの突起および溝は上下辺に設け、該リンク同士を水平方向に屈曲可とすると共に上下方向には屈曲不可としている請求項１または請求項２に記載のスライドドア用ハーネスの配索構造。
【請求項４】
前記車体およびスライドドアに取付ブラケットをそれぞれ固定し、該取付ブラケットに前記コルゲートチューブの凹凸と嵌合する凹凸係止部を設け、該コルゲートチューブを取付ブラケットに直接固定し、かつ、
前記ガイドプロテクタは前記車体側およびスライドドア側の取付ブラケットに近接した前記渡り配索部分のコルゲートチューブに外装している請求項１乃至請求項３のいずれか１項に記載のスライドドア用ハーネスの配索構造。
【請求項５】
前記渡り配索領域の全長に外装するコルゲートチューブは、少なくとも前記ガイドプロテクタを外装していない中間領域では断面楕円形状としている請求項１乃至請求項４のいずれか１項に記載のスライドドア用ハーネスの配索構造。
【請求項６】
少なくとも前記ガイドプロテクタで外装される領域のコルゲートチューブは断面円形とし、該コルゲートチューブの外面に軸線方向に延在する１つのリブを突設する一方、前記ガイドプロテクタの各リンクに前記リブが挿入される嵌合溝を設け、該リンク内でのコルゲートチューブの回転を不可としている請求項１乃至請求項５のいずれか１項に記載のスライドドア用ハーネスの配索構造。
【発明の詳細な説明】
【技術分野】
【０００１】
本発明は、スライドドア用ハーネスの配索構造に関し、詳しくは、車体とスライドドアとの間に渡り配索されるハーネスの屈曲角度を適切に制御するものである。
【背景技術】
【０００２】
従来、スライドドア側の電装品に常時給電するために、車体とスライドドアとの間にハーネスが架け渡されている。この種の配索構造として、例えば、図１０に示すように、複数のリンク部材１を線状に連結させたキャタピラ状のケーブルガイド２にワイヤハーネスＷ／Ｈを挿通し、これを車体３とスライドドア４との間にＳ字形状に配索する構造が提案されている（特開２００４−４０８６３号公報参照）。
前記キャタピラ状のケーブルガイド２は、電線を保護する機能のほか、ワイヤハーネスＷ／Ｈの屈曲を制御し、車体３とのクリアランスをとることによって周辺部材との干渉を防止する機能を有している。
【０００３】
一方、前記キャタピラ状のケーブルガイド２は、リンク部材１の部品点数が多いためコスト高となるうえ、ケーブルガイド２に挿通するワイヤハーネスＷ／Ｈがリンク部材１間の隙間から露出することから、図１１に示すようなチューブ体５でケーブルガイド２をさらに外装してワイヤハーネスの露出を防止する必要がある。
また、スライドドアには、スライド方向と垂直な上下方向の角度を変化させながら動作するものがあり、このような上下方向の動きに対応するためには、図１２に示すような上下可動機構をさらに設ける必要がある（特開２００４−４０８６２号公報参照）。
即ち、車体３に固定される固定部材６とケーブルガイド２の一端部との間に、上下方向（矢印Ｔ方向）に回転可能に軸支された連結部材７を介在させる必要があり、これにより部品点数が増加し構造が複雑化する問題がある。
【０００４】
一方、前記ケーブルガイドにかえて、環状の山部と谷部が軸線方向に交互に設けられたコルゲートチューブをハーネスの外装材として用いると、コストを抑制できると共にハーネスを外部に露出させず、また、コルゲートチューブの柔軟性によりスライドドアの上下方向の変化を吸収することもできるためスライドドアの動きにハーネスをスムーズに追従させることが可能となる。
しかし、前記コルゲートチューブは、柔軟であるがゆえに追従動作における軌跡の制御が難しく、前記コルゲートチューブで外装されたハーネスが周辺部材に干渉するおそれがある。
【０００５】
【特許文献１】特開２００４−４０８６３号公報
【特許文献２】特開２００４−４０８６２号公報
【発明の開示】
【発明が解決しようとする課題】
【０００６】
本発明は前記問題に鑑みてなされたものであり、簡単な構造で、車体とスライドドアとの間に架け渡されるハーネスをスライドドアの動きにスムーズに追従させると共に、追従動作におけるハーネスの屈曲角度を制御して、ハーネスと周辺部材との干渉を防止することを課題としている。
【課題を解決するための手段】
【０００７】
前記課題を解決するため、本発明は、車体とスライドドアとの間に渡り配索されるハーネスをガイドおよび保護する外装材を取り付けており、
前記外装材は、前記渡り配索の領域のハーネス全長に取り付けているコルゲートチューブと、前記コルゲートチューブに部分的に外装している屈曲規制用のガイドプロテクタとからなり、
前記ガイドプロテクタは、複数の剛性材からなる矩形筒状のリンクを備え、各リンクの内面に前記コルゲートチューブの凹凸と嵌合する凹凸係止部を設け、かつ、対向する一対の辺の長さ方向の一端に突起を設けると共に他端にＶ形状に開く溝を設け、隣接するリンク間で前記溝に前記突起を所定角度屈曲可能に嵌合して連繋していることを特徴とするスライドドア用ハーネスの配索構造を提供している。
【０００８】
前記のように、渡り配索領域のハーネスの全長にコルゲートチューブを取り付けることにより、ハーネス全長にキャタピラ状のケーブルガイドを取り付ける従来の構造に比べて、コストを削減することができると共に、コルゲートチューブの柔軟性によってスライドドアの上下方向の変化も吸収させることができるので、上下可動機構など別途設けなくてもスライドドアの動きにハーネスをスムーズに追従させることが可能となる。
また、ハーネスの全長にコルゲートチューブを取り付けることにより前記ハーネスが外部に露出することがないため、前記ケーブルガイドを取り付けた場合にハーネスが隙間から露出するのを防止するために必要となる外装材（チューブ体）が不要となり、部品点数を削減して構造をシンプルにすることができる。
【０００９】
また、前記構成によれば、ハーネスの全長に取り付けられたコルゲートチューブに、屈曲規制用のガイドプロテクタを部分的に外装することができるので、前記コルゲートチューブのうち周辺部材との干渉が発生しやすい部分などハーネスの屈曲角度の規制が必要な箇所に前記屈曲規制用のガイドプロテクタを取り付けることができる。よって、部品点数を大幅に増やすことなく効果的にハーネスの屈曲角度の制御ができ、ハーネスと周辺部材との干渉を防止することができる。
【００１０】
具体的には、複数のリンクを連繋させて形成する前記ガイドプロテクタは、各リンクの内面にコルゲートチューブの凹凸と嵌合する凹凸係止部を設けているため、各リンクの凹凸係止部を所要位置のコルゲートチューブの凹凸に嵌合させるだけで、ガイドプロテクタをコルゲートチューブの所要位置に固定することができる。
前記凹凸係止部は環状に形成されると共に、リンクの長さ方向に連続的に設けられていることが好ましい。
【００１１】
また、前記のように、ガイドプロテクタを形成する各リンクの対向する一対の辺の長さ方向の一端に突起を設けると共に、他端にＶ字状に開く溝を設け、隣接するリンクの前記突起を前記溝に所定角度屈曲可能に嵌合させる構成とすることにより、連繋するリンク間の屈曲角度、さらにはコルゲートチューブ内のハーネスの屈曲角度を前記所定角度の範囲内に規制することができる。即ち、隣接したリンクの突起の一方の側辺をＶ字状に開く前記溝の一方の側辺に当接させて嵌合させた状態から、前記突起の他方の側辺を前記溝の他方の側辺に当接させて嵌合させた状態までをリンクの可動範囲とすることによって、内部のハーネスの屈曲角度を規制するものである。
【００１２】
前記突起の形状は、Ｖ字状に開く溝に突起を所定角度屈曲可能に嵌合できるものであれば特に限定されるものではないが、例えば、前記突起を台形状とし、この台形状の突起の側辺がＶ字状に開く溝の側辺に当接することにより突起の屈曲(回転)が規制されるようにすることが好ましい。
【００１３】
なお、前記構造により規制されるリンク間の屈曲角度としては、周辺部材との干渉防止やハーネスの耐久性等の観点より、一直線状にリンクが連繋されている場合のリンクの軸線に対して、連繋されているリンクを最大に屈曲させた場合の該リンクの軸線のなす角度を２５〜３５°程度とすることが好ましい。
【００１４】
前記一対の辺と直交方向の一対の辺は、リンクの長さ方向の一端側に切欠を設けると共に他端側に突出部を設け、隣接するリンク間で前記切欠に突出部を突出させてリンクの長さ方向の端部で重ね、前記屈曲方向と直交方向には屈曲不可としていることが好ましい。
【００１５】
前記のように、リンクの対向する一対の辺と直交方向の一対の辺において、リンクの長さ方向の一端側に切欠を設けると共に他端側に突出部を設け、隣接するリンク間で前記切欠に突出部を突出させて重ねる構成とすることにより、重ね合わせ方向には屈曲が不可能となって、リンク間の屈曲を前記した屈曲方向のみに制限することができる。
【００１６】
前記切欠に突出される突出部の突出量は、リンク間の屈曲角度などによっても異なるため限定することはできないが、例えば、一直線状に連繋されたリンクにおいて、前記突出部が、リンク長さ方向の切欠全長の９０％程度の位置まで突出されて重ねられていることが好ましい。また、前記切欠の全長は、例えば、突起を含むリンク全長の２５％程度とすることが好ましい。
【００１７】
前記車体とスライドドアの間で前記ハーネスは水平方向に配索され、前記ガイドプロテクタの各リンクの突起および溝は上下辺に設け、該リンク同士を水平方向に屈曲可とすると共に上下方向には屈曲不可としていることが好ましい。
【００１８】
車体とスライドドアとの間にハーネスを水平方向に配索すると、前記ハーネスは水平方向に屈曲しながらスライドドアの動きに追従する。しかし、ハーネスをコルゲートチューブで外装した場合には、コルゲートチューブの柔軟性により垂れ下がりが生じたり、あるいは、水平方向への屈曲角度が大きすぎたりして、ハーネスが周辺部材に干渉しやすい。
そこで、前記のように、ガイドプロテクタの各リンクの突起および溝を上下辺に設けて、リンク同士を水平方向に屈曲可とすると共に、上下方向に屈曲不可とすることにより、コルゲートチューブの垂れ下がりを抑制し、かつ水平方向の屈曲角度を適切に制御しながらスライドドアへのスムーズな追従動作が可能となる。
【００１９】
また、前記車体およびスライドドアに取付ブラケットをそれぞれ固定し、該取付ブラケットに前記コルゲートチューブの凹凸と嵌合する凹凸係止部を設け、該コルゲートチューブを取付ブラケットに直接固定し、かつ、
前記ガイドプロテクタは前記車体側およびスライドドア側の取付ブラケットに近接した前記渡り配索部分のコルゲートチューブに外装していることが好ましい。
【００２０】
前記したように、渡り配索領域のハーネスの全長に柔軟なコルゲートチューブを取り付けているため、車体およびスライドドアに固定する取付ブラケットに、回転機構などを介在させることなく、コルゲートチューブを凹凸嵌合により直接固定するだけで、スライドドアの動きにハーネスをスムーズに追従させることができる。即ち、取付ブラケットに回転機構などを設ける必要がないため、構造をよりシンプルにすることができる。
【００２１】
なお、前記取付ブラケットには、コルゲートチューブが取り付けられたハーネスを取付ブラケット内に引き入れる扇形状の開口部が設けられ、該開口部の扇形領域が、取付ブラケットの凹凸係止部に固定されたコルゲートチューブの可動範囲となる。即ち、前記扇形状開口部の両側辺がコルゲートチューブの屈曲を規制する役割を果たし、前記開口部の両側辺のなす角度は、車体側の取付ブラケットでは９０〜１２０°程度、スライドドア側の取付ブラケットでは１００〜１５０°程度とすることが好ましい。
【００２２】
さらに、車体側およびスライドドア側の取付ブラケットに近接した渡り配索部分は、特に大きな屈曲を受けやすく、その結果、ハーネスがタイヤハウスなどの周辺部材に干渉したり、過度な屈曲によって損傷を受けたりする場合も多い。そこで、前記のように、前記車体側およびスライドドア側の取付ブラケットに近接した渡り配索部分のコルゲートチューブに、前記ガイドプロテクタを外装することによって、大きな屈曲を受けやすい部分の屈曲角度を制御することができるため、ハーネスと周辺部材との干渉などを効果的に防止することができる。
前記ガイドプロテクタは、前記取付ブラケットに近接した渡り配索部分に連続的に設けてもよいし、あるいは、分割して設けてもよい。
【００２３】
前記渡り配索領域の全長に外装するコルゲートチューブは、少なくとも前記ガイドプロテクタを外装していない中間領域では断面楕円形状としていることが好ましい。
【００２４】
前記のように、少なくともガイドプロテクタを外装していない中間領域のコルゲートチューブの断面形状を楕円とすることにより、ハーネスの直進性を高め、省スペースでスムーズな追従動作を行うことができる。
また、前記中間領域のみならず、ガイドプロテクタで外装される領域のコルゲートチューブの断面形状も楕円とされていると、リンク内でのコルゲートチューブの回転も防止できるため、さらに好ましい。
【００２５】
また、少なくとも前記ガイドプロテクタで外装される領域のコルゲートチューブは断面円形とし、該コルゲートチューブの外面に軸線方向に延在する１つのリブを突設する一方、前記ガイドプロテクタの各リンクに前記リブが挿入される嵌合溝を設け、該リンク内でのコルゲートチューブの回転を不可としていることも好ましい。
【００２６】
前記構成によれば、コルゲートチューブの外面に軸線方向に設けたリブと、ガイドプロテクタの各リンク内面に設けた嵌合溝との嵌合によって、ガイドプロテクタで外装される領域のコルゲートチューブの断面形状が円形であっても、リンク内でコルゲートチューブが回転することがないため、ハーネスの捩れ等を防止できる。同様に、ガイドプロテクタがコルゲートチューブの周りを回転することもないため、追従動作中にリンクの屈曲方向が変化してしまうことも防止される。
【００２７】
前記コルゲートチューブは、比較的柔らかく、可撓性を有するものが好ましく、例えば、ポリプロピレン(ＰＰ)やエチレン−プロピレンゴム（ＥＰＤＭ）、あるいは各種エラストマーなどを用いることができる。また、前記コルゲートチューブとしては、通常のコルゲートチューブのほか、長さ方向にスリットを設けた割り形状のコルゲートチューブを用いてもよい。
また、前記コルゲートチューブが取り付けられるハーネスは特に限定されるものではなく、ワイヤハーネスであってもフラットハーネスであってもよい。
【００２８】
前記ガイドプロテクタを構成するリンクは、高硬度の樹脂から形成されることが好ましく、例えば、ポリブチレンテレフタレート(ＰＢＴ)、ポリアミド（ＰＡ）、ポリアセタール(ＰＯＭ)樹脂などを用いることが好ましい。
また、前記リンクは、長さ方向に沿って２分割された上下の分割体から構成され、各分割体に設けられたロック部と被ロック部とを係合させることによりリンクを形成するようにしてもよい。これにより、コルゲートチューブとリンクの嵌合を一層容易に行うことができる。
【発明の効果】
【００２９】
前述したように、本発明によれば、渡り配索領域のハーネスの全長にコルゲートチューブを取り付けているため、ハーネス全長にキャタピラ状のケーブルガイドを取り付ける従来の構造に比べて、コストを削減することができると共に、コルゲートチューブの柔軟性によってスライドドアの上下方向の変化も吸収させることができるので、上下可動機構など別途設けなくてもスライドドアの動きにハーネスをスムーズに追従させることが可能となる。また、ハーネスの全長にコルゲートチューブを取り付けることにより前記ハーネスが外部に露出する部分がないため、ケーブルガイドを取り付けた場合に隙間からハーネスが露出するのを防止するために必要となる外装材（チューブ体）が不要となり、部品点数を削減して構造をシンプルにすることができる。
【００３０】
また、前記のように、ハーネスの全長に取り付けられたコルゲートチューブに、屈曲規制用のガイドプロテクタを部分的に外装することができるため、前記コルゲートチューブのうち周辺部材との干渉が発生しやすい部分などハーネスの屈曲角度の規制が必要な箇所に前記屈曲規制用のガイドプロテクタを取り付けることが可能となる。よって、部品点数を大幅に増やすことなく効果的にハーネスの屈曲角度を制御でき、ハーネスと周辺部材との干渉を防止することができる。
【００３１】
前述したように、複数のリンクを連繋させて形成されるガイドプロテクタは、各リンクの内面にコルゲートチューブの凹凸と嵌合する凹凸係止部を設けているため、各リンクの凹凸係止部を所要位置のコルゲートチューブの凹凸に嵌合させるだけで、ガイドプロテクタをコルゲートチューブの所要位置に確実に固定することができる。
【００３２】
また、前記のように、各リンクの対向する一対の辺の長さ方向の一端に突起を設けると共に、他端にＶ字状に開く溝を設け、隣接するリンクの前記突起を前記溝に所定角度屈曲可能に嵌合させる構成とすることにより、連繋するリンク間の屈曲角度、さらにはコルゲートチューブ内のハーネスの屈曲角度を前記所定角度の範囲内に規制することができる。
【００３３】
さらに、対向する一対の辺と直交方向の一対の辺において、リンクの長さ方向の一端側に切欠を設けると共に他端側に突出部を設け、隣接するリンク間で前記切欠に突出部を突出させて重ねる構成とすることにより、重ね合わせ方向には屈曲が不可能となって、リンク間の屈曲を前記した屈曲方向のみに制限することができる。
【００３４】
また、前記のように、渡り配索領域のハーネスの全長に柔軟なコルゲートチューブを取り付けているため、車体およびスライドドアに固定する取付ブラケットに、回転機構などを介在させることなく、コルゲートチューブを直接固定するだけでスライドドアの動きにハーネスをスムーズに追従させることができる。即ち、取付ブラケットに回転機構などを設ける必要がないため、構造をよりシンプルにすることができる。
【発明を実施するための最良の形態】
【００３５】
本発明の実施形態を図面を参照して説明する。
図１乃至図６に本発明の第１実施形態を示す。
図１に示すように、車体３０とスライドドア３１との間に渡り配索されるワイヤハーネスＷ／Ｈの全長に、断面楕円形状のコルゲートチューブ１１（ポリプロピレン樹脂製）を取り付け、コルゲートチューブ１１に、屈曲規制用のガイドプロテクタ１２を部分的に外装している。即ち、コルゲートチューブ１１とガイドプロテクタ１２とから、ワイヤハーネスＷ／Ｈを保護しガイドする外装材１０を形成している。
【００３６】
具体的には、ガイドプロテクタ１２は、図２に示すような矩形筒状のリンク１３を、図４、図５のように２個連繋して形成している。
リンク１３はポリブチレンテレフタレート樹脂から形成し、リンク１３の内面には、図３に示すように、コルゲートチューブ１１の凹凸と嵌合する環状の凹凸係止部１４をリンク長さ方向に連続して設けている。
【００３７】
また、図２（Ａ）に示すように、リンク１３の対向する一対の辺１５の長さ方向の一端に台形状の突起１６を設けると共に、他端にはＶ字状に開く溝１７を設けており、図４に示すように、隣接するリンク１３間で溝１７に突起１６を所定角度屈曲可能に嵌合させてリンク１３同士を連繋している。
即ち、隣接したリンク１３の突起１６の一方の側辺１６ａをＶ字状に開く溝１７の一方の側辺１７ａに当接させて突起１６を溝１７に嵌合させた状態［図４（Ａ）］から、突起１６の他方の側辺１６ｂを溝１７の他方の側辺１７ｂに当接させて突起１６を溝１７に嵌合させた状態［図４（Ｂ）］までをリンク１３の可動範囲とすることにより、リンク１３の屈曲角度を規制し、よって、内部に挿通するワイヤハーネスＷ／Ｈの屈曲角度も規制している。
なお、本実施形態においては、一直線状にリンク１３を連繋した場合のリンク１３の軸線Ｌ１に対して、リンク１３を最大に屈曲させた場合のリンク１３の軸線Ｌ２のなす角度θが２５〜３５°程度となるように角度規制している。
【００３８】
また、図２（Ａ）、（Ｂ）に示すように、リンク１３の対向する一対の辺１５と直交方向の一対の辺１８において、リンク１３の長さ方向の一端側に切欠１９を設けると共に、他端側に突出部２０を設けており、図４および図５に示すように、隣接するリンク１３間で切欠１９に突出部２０を突出させてリンク１３の長さ方向の端部で重ねている。
本実施形態においては、切欠１９の全長ｄをリンク全長Ｄの２５％程度とし、図５のように一直線状に連繋されたリンク１３においては、切欠全長ｄの９０％程度の位置まで突出部２０を突出させて重ねている。これにより重ね合わせ方向（本実施形態においては上下方向）の屈曲を不可としている。
【００３９】
一方、車体３０およびスライドドア３１には、図６（Ａ）、（Ｂ）に示すように、車体側取付ブラケット３２およびスライドドア側取付ブラケット３３をそれぞれ固定している。取付ブラケット３２、３３には、コルゲートチューブ１１を取り付けたワイヤハーネスＷ／Ｈを引き入れるための扇形状の開口部３２ａ、３３ａおよびコルゲートチューブ１１の凹凸と嵌合する環状の凹凸係止部３２ｂ、３３ｂを設けており、開口部３２ａ、３３ａから取付ブラケット３２、３３内に引き入れられたコルゲートチューブ１１の凹凸を凹凸係止部３２ｂ、３３ｂに嵌合させることにより、コルゲートチューブ１１を取付ブラケット３２、３３に直接固定している。
【００４０】
なお、開口部３２ａ、３３ａの扇形領域が、凹凸係止部３２ｂ、３３ｂに固定されたコルゲートチューブ１１の可動範囲となり、開口部３２ａ、３３ａの両側辺３２ａ−１、３３ａ−１がコルゲートチューブ１１の屈曲を規制する役割を果たす。車体側取付ブラケット３２の開口部３２ａの両側辺３２ａ−１が形成する角度θ１を９０〜１２０°程度とし、スライドドア側取付ブラケット３３の開口部３３ａの両側辺３３ａ−１が形成する角度θ２を１００〜１５０°程度としている。
【００４１】
また、２個のリンク１３を連繋させたガイドプロテクタ１２は、図１に示すように、車体側取付ブラケット３２およびスライドドア側取付ブラケット３３に近接した渡り配索部分のコルゲートチューブ１１に外装している。なお、本実施形態においては、車体側取付ブラケット３３に近接して、ガイドプロテクタ１２を間隔をあけて２箇所に取り付けている。
【００４２】
コルゲートチューブ１１を取り付けたワイヤハーネスＷ／Ｈは、車体３０とスライドドア３１の間で水平方向に配索され、ガイドプロテクタ１２の各リンク１３の突起１６および溝１７を上下辺に設けている。これにより、リンク１３同士は水平方向に屈曲可とされると共に、上下方向に屈曲不可とされる。
なお、リンク１３は、長さ方向に沿って２分割した上下の分割体１３Ａ、１３Ｂから構成し、上下の分割体１３Ａ、１３Ｂをロック結合して一体化させることによりリンク１３を形成している。
【００４３】
図１は、本実施形態において、車体３０とスライドドア３１との間に架け渡されるワイヤハーネスＷ／Ｈの配索構造を示しており、図１のＰ１はスライドドア３１全開時、Ｐ２はスライドドア３１全閉時の状態を示している。
スライドドア３１全開時には、ワイヤハーネスＷ／Ｈはタイヤハウス３４とロアアーム３５との間に位置し、スライドドア３１全閉時には、ワイヤハーネスＷ／Ｈはスライドレール３６とウエザーストリップ３７との間に位置する。
【００４４】
前記のように、渡り配索領域のワイヤハーネスＷ／Ｈの全長にコルゲートチューブ１１を取り付けているため、ハーネス全長にキャタピラ状のケーブルガイドを取り付ける従来の構造に比べて、コストを削減することができると共に、コルゲートチューブ１１の柔軟性によってスライドドア３１の上下方向の変化も吸収させることができるので、上下可動機構など別途設けなくてもスライドドア３１の動きにワイヤハーネスＷ／Ｈをスムーズに追従させることが可能となる。また、ワイヤハーネスＷ／Ｈの全長にコルゲートチューブ１１を取り付けることによりワイヤハーネスＷ／Ｈが外部に露出する部分がないため、ケーブルガイドを取り付けた場合に隙間からハーネスが露出するのを防止するために必要となる外装材（チューブ体）が不要となり、部品点数を削減して構造をシンプルにすることができる。
【００４５】
また、前記のように、ワイヤハーネスＷ／Ｈの全長に取り付けられたコルゲートチューブ１１に、屈曲規制用のガイドプロテクタ１２を部分的に外装することができるため、コルゲートチューブ１１のうち、大きな屈曲を受けて周辺部材との干渉等が生じやすい取付ブラケット３２、３３に近接した位置などに、ガイドプロテクタ１２を取り付けることが可能となる。よって、部品点数を大幅に増やすことなく効果的にワイヤハーネスＷ／Ｈの屈曲角度を制御でき、ワイヤハーネスＷ／Ｈと周辺部材との干渉を防止できる。
【００４６】
前記のように、複数のリンク１３を連繋させて形成するガイドプロテクタ１２は、各リンク１３の内面にコルゲートチューブ１１の凹凸と嵌合する凹凸係止部１４を設けているため、各リンク１３の凹凸係止部１４を所要位置のコルゲートチューブ１１の凹凸に嵌合させるだけで、ガイドプロテクタ１２をコルゲートチューブ１１の所要位置に確実に固定することができる。
【００４７】
また、前記のように、各リンク１３の対向する一対の辺１５の長さ方向の一端に突起１６を設けると共に、他端にＶ字状に開く溝１７を設け、隣接するリンク１３の突起１６を溝１７に所定角度屈曲可能に嵌合させる構成とすることにより、連繋するリンク１３間の屈曲角度、さらにはコルゲートチューブ１１内のワイヤハーネスＷ／Ｈの屈曲角度を前記所定角度の範囲内に規制することができる。
【００４８】
さらに、対向する一対の辺１５と直交方向の一対の辺１８において、リンク１３の長さ方向の一端側に切欠１９を設けると共に他端側に突出部２０を設け、隣接するリンク１３間で切欠１９に突出部２０を突出させて重ねる構成とすることにより、重ね合わせ方向には屈曲が不可能となって、リンク１３間の屈曲を前記した屈曲方向のみに制限することができる。したがって、前記のように、車体３０とスライドドア３１との間でワイヤハーネスＷ／Ｈを水平方向に配索し、ガイドプロテクタ１２の各リンク１３の突起１６および溝１７を上下辺に設けた場合には、リンク１３同士は水平方向に屈曲可とされると共に、上下方向に屈曲不可とされる。上下方向に屈曲不可となることにより、コルゲートチューブ１１の垂れ下がりも抑制することができる。
【００４９】
また、前記のように、渡り配索領域のワイヤハーネスＷ／Ｈの全長に柔軟なコルゲートチューブ１１を取り付けているため、車体３０およびスライドドア３１に固定する取付ブラケット３２、３３に、回転機構などを介在させることなく、コルゲートチューブ１１を直接固定するだけで、スライドドア３１の動きにワイヤハーネスＷ／Ｈをスムーズに追従させることができる。即ち、取付ブラケット３２、３３に回転機構などを設ける必要がないため、構造をよりシンプルにすることができる。
【００５０】
また、前記のように、ガイドプロテクタ１２を外装していない中間領域のコルゲートチューブ１１の断面形状を楕円とすることにより、ワイヤハーネスＷ／Ｈの直進性を高め、省スペースでスムーズな追従動作を行うことができる。さらに、中間領域のみならず、ガイドプロテクタ１２で外装される領域のコルゲートチューブ１１の断面形状も楕円とされているため、リンク１３内でのコルゲートチューブ１１の回転も防止することができる。
【００５１】
図７に第２実施形態を示す。
第２実施形態では、突起１６および溝１７の形状を図７に示すように、先端を円弧状にする以外は、第１実施形態と同様としている。
【００５２】
第２実施形態においても、第１実施形態と同様の効果が得られ、車体３０とスライドドア３１との間に架け渡されるワイヤハーネスＷ／Ｈをスライドドア３１の動きにスムーズに追従させることができると共に、追従動作におけるワイヤハーネスＷ／Ｈの屈曲角度を制御して、ワイヤハーネスＷ／Ｈと周辺部材との干渉を防止することができる。
【００５３】
図８および図９に第３実施形態を示す。
第３実施形態では、ガイドプロテクタ１２で外装されるコルゲートチューブ４１の断面形状を円形とし、図８に示すように、コルゲートチューブ４１の外面に軸線方向に延在する１つのリブ４２を突設している。
また、ガイドプロテクタ１２を構成する各リンク１３の内面側には、図９に示すように、リブ４２が挿入される嵌合溝２１を設けている。
一方、ガイドプロテクタ１２で外装していない中間領域のコルゲートチューブ（図示せず）の断面形状は第１実施形態と同様の楕円形状とし、断面円形のコルゲートチューブ４１と断面楕円形状の前記コルゲートチューブをテープ巻きによって連結している。
なお、前記した点以外は第１実施形態と同様としている。
【００５４】
第３実施形態においても、第１実施形態と同様の効果が得られ、車体３０とスライドドア３１との間に架け渡されるワイヤハーネスＷ／Ｈをスライドドア３１の動きにスムーズに追従させることができると共に、追従動作におけるワイヤハーネスＷ／Ｈの屈曲角度を制御して、ワイヤハーネスＷ／Ｈと周辺部材との干渉を防止することができる。
【００５５】
さらに、前記のように、コルゲートチューブ４１の外面に軸線方向に設けたリブ４２と、ガイドプロテクタ１２の各リンク１３内面に設けた嵌合溝２１との嵌合によって、ガイドプロテクタ１２で外装される領域のコルゲートチューブ４１の断面形状が円形であっても、リンク１３内でコルゲートチューブ４１が回転することがないため、ワイヤハーネスＷ／Ｈの捩れ等を防止できる。同様に、ガイドプロテクタ１２がコルゲートチューブ４１の周りを回転することもないため、追従動作中にリンク１３の屈曲方向が変化してしまうことも防止できる。
なお、本実施形態においては、ガイドプロテクタ１２で外装していない中間領域のコルゲートチューブの断面形状を楕円形状としているが、渡り配索領域のワイヤハーネス全長に断面円形状のコルゲートチューブを取り付けるようにしてもよい。
【図面の簡単な説明】
【００５６】
【図１】本発明の第１実施形態におけるワイヤハーネスの配索構造を示す図である。
【図２】（Ａ）はリンクの概略斜視図、（Ｂ）は側面図、（Ｃ）は正面図である。
【図３】リンク（下側半分）の平面図である。
【図４】リンクを連繋して形成したガイドプロテクタ（下側半分）の平面図であり、（Ａ）はリンクを一方側に最大限屈曲させた状態、（Ｂ）はリンクを他方側に最大限屈曲させた状態を示す図である。
【図５】リンクを一直線状に連繋したガイドプロテクタの側面図である。
【図６】取付ブラケットにコルゲートチューブを固定した状態を示す概略平面図であり、（Ａ）は車体側、（Ｂ）スライドドア側を示す図である。
【図７】第２実施形態において、リンクを連繋して形成したガイドプロテクタ（下側半分）の平面図である。
【図８】第３実施形態において、ガイドプロテクタで外装される領域のコルゲートチューブを示す概略斜視図である。
【図９】第３実施形態におけるリンク（下側半分）の平面図である。
【図１０】従来例を示す図である。
【図１１】従来例を示す図である。
【図１２】従来例を示す図である。
【符号の説明】
【００５７】
１０  外装材
１１、４１  コルゲートチューブ
４２  リブ
１２  ガイドプロテクタ
１３  リンク
１４  凹凸係止部
１６  突起
１７  溝
１９  切欠
２０  突出部
２１  嵌合溝
３０  車体
３１  スライドドア
３２  車体側取付ブラケット
３３  スライドドア側取付ブラケット
３２ａ、３３ａ  開口部
３２ｂ、３３ｂ  凹凸係止部
３４  タイヤハウス
３５  ロアアーム
３６  スライドレール
３７  ウエザーストリップ
【図１】
2008284968.tif 000003
【図２】
2008284968.tif 000004
【図３】
2008284968.tif 000005
【図４】
2008284968.tif 000006
【図５】
2008284968.tif 000007
【図６】
2008284968.tif 000008
【図７】
2008284968.tif 000009
【図８】
2008284968.tif 000010
【図９】
2008284968.tif 000011
【図１０】
2008284968.tif 000012
【図１１】
2008284968.tif 000013
【図１２】
2008284968.tif 000014